(57)【要約】      （修正有）【課題】袱紗は、使用中に、ばい菌、カビ、移り香等が付着して、生地が斑に変色や悪臭が放散したり、更には形状が崩れたりする劣化により、使用時にはこれらに気が付かないまま、そのまま利用することが多々あり、本来の機能と目的を喪失し、先方様に不愉快を与えるなど失礼な結果となる。このような事態を未然に防止するために、袱紗に少なくとも芳香剤を、或いは香りを付けた滅菌剤、脱臭剤、カビ防止剤などを目立たず簡易に交換可能に収容して、袱紗の本来の機能と目的を淘汰する袱紗を提供する。【解決手段】二つ折り袱紗１００ａは、一折目１０１と，金封Ａ又は数珠を入れる袋を形成する二折目１０２，１０３とからなり、金封Ａを入れる袋の二折目１０３の裏側にポケット２０１を設け、このポケット２０１内に芳香剤２０３を入れた小袋２０２を装填してある。【選択図】図１
0003190496.tif 000002
【実用新案登録請求の範囲】
【請求項１】
風呂敷タイプ又は折りたたみタイプの袱紗において、裏地にポケットを設け、このポケットに芳香剤入りの小袋を、出し入れ可能に収容してなることを特徴とする袱紗。
【考案の詳細な説明】
【技術分野】
【０００１】本考案は、冠婚葬祭において、数珠や熨斗袋（祝儀袋・不祝儀袋）を包むのに使用され、一般に服紗，覆紗，帛紗など言われている袱紗に関するものであり、
【背景技術】
【０００２】  袱紗は、元来，柔らかな手触りのよいことを指し，《日葡辞書》では〈袱紗物〉〈袱紗絹〉などとともに〈袱紗な人〉（物柔らかで人あたりのよい人）の用例もある。【０００３】  その上で、袱紗は、元々貴重品などが収蔵された箱上に掛けられ、服紗小袖，袱紗帯のごとく柔らかな絹布製の風呂敷であった。
その風呂敷が贈答品を運ぶ時の汚れや日焼け防止として用いられるようになり１枚の布地から裏地付きの絹製で四方に亀房と呼ばれる房付きのものに変わり、慶弔行事の数珠納め、金品を贈る時の儀礼や心遣いとして広蓋（黒塗りの盆）と併せて用いられるようになった
また一般に茶の湯では方形の縮緬や絹布を言う。【０００４】  袱紗に関する背景はこのようであるが、現在は、図４に示すような台・爪付の小型の風呂敷タイプの他に、図５に示すような２つ折りや三つ折りタイプの金封袱紗、左開きの弔事（お悔やみ）袱紗、右開きの慶事（お祝い）袱紗やお見舞袱紗が多く市販され利用されている。
因みに、図４例の風呂敷タイプ袱紗の場合、数珠や熨斗袋を包む場合は結婚式などの慶事には右前に包み、葬儀など弔事には左前に包む。祝儀袋の包み方は祝儀袋を中心より少し左の方へ寄せておき左側を中に折り込み上側をたたみ、次に下側をたたみ右側を折り裏へ折り返す。不祝儀袋の包み方は、不祝儀袋を中心より少し右の方へ寄せておき右側を中に折り込み下側をたたみ、次に上側をたたみ左側を折り裏へ折り返す。【０００５】表１には袱紗の用途と色の例を示す。
表１以外にも様々な色のものがあり、暖色系の明るい色は慶事用、寒色系の沈んだ色は弔事用、紫色はどちらにも使える。【０００６】
【表１】
0003190496.tif 000003
【考案の開示】
【考案が解決しようとする課題】
【０００９】一般に、袱紗は、数珠や熨斗袋の水引が崩れたり袋が皺になることを防ぐ事や先方の心中や祭礼を重んじ、喜びや悲しみを共にする気持ちを表わすものである。
つまり数珠や熨斗袋で金封した上でなおかつ袱紗で包むという肌理細やかな心遣いである。
しかしながら、袱紗は、常時使用するものではなく、長年に亘る何度かの使用のため長期間クリーニングせずに保存されることが多い。
このため、ばい菌付着、カビ発生、移り香等により、生地が斑に変色や悪臭が放散したり、更には形状が崩れたりの劣化により、使用時にはこれらに気が付かないまま、そのまま利用することが多々あり、袱紗本来の機能と目的を喪失し、先方様に不愉快を与えるなど失礼な結果となる。【００１０】本考案は、このような事態を未然に防止するために、袱紗に芳香剤を目立たず簡易に交換可能に収容して、芳香剤、消臭剤等からの香により袱紗の本来の機能と目的を淘汰する袱紗を提供するものである。
【課題を解決するための手折】
【００１１】本考案は、前記の課題を満足する袱紗であり、その特徴をする構成は次の通りである。
風呂敷タイプ又は折りたたみタイプの袱紗において、裏地にポケットを設け、このポケットに芳香剤を入れた小袋を、出し入れ可能に収容してなることを特徴とする袱紗。
【考案の効果】
【００１２】  本考案の袱紗は、前記構成により、ばい菌付着、カビ発生、移り香等により、生地から悪臭が放散したりする等の諸劣化を未然に防止するために、前記ポケットに、芳香剤や香り付の消臭剤、滅菌剤等を装填した小袋を目立たず簡易に交換可能に収容して、袱紗使用の際に、袱紗本来の機能を維持して、先方様に失礼を与えることなくその目的を確実に淘汰するものである。
更に、各種類の芳香剤を種類ごとに装填した小袋を複数用意すれば、その使用目的に適合した香りの芳香剤装填の小袋を選択してポケットに入れることができる。
例えば、先方様の目前で本考案の袱紗を開いて数珠や金封（熨斗袋）を取り出し、袱紗を元にたたみ、その上に金封を先方に向けて乗せそのまま袱紗と共に畳の上か机の上を滑らすようにしておもむろに置くか金封の場合は差し出すというこの静かな連続した動作中において、袱紗のポケットに収容している小袋内の芳香剤からの香りがほんのりとし自然に漂い、その場の雰囲気を醸し出すという抜群の演出効果を呈するのである。
【図面の簡単な説明】
【００１６】
【図１】本考案の実施例１の二つ折り袱紗の蓋側を開いた正面図である。
【図２】本考案の実施例２の三つ折り袱紗の蓋側を開いた正面図である。
【図３】本考案の実施例３の風呂敷タイプの裏側に開いた正面図である。
【図４】従来の風呂敷タイプの袱紗の畳み例を示す説明図である。
【図５】従来の二つ折り袱紗の正面図で
【考案を実施するための形態】
【００１７】本考案を実施するための形態は、図面に示す実施例により詳細に説明する。
【実施例１】
【００１８】図１に本考案の実施例１の二つ折り袱紗を開いた状態の正面図を示す。
二つ折り袱紗１００ａは、一折目１０１と，金封Ａ又は数珠を入れる袋を形成する二折目１０２，１０３とからなり、金封Ａを入れる袋の二折目１０３の裏側にポケット２０１を設け、このポケット２０１内に芳香剤２０３を入れた小袋２０２を装填してある。
【実施例２】
【００１９】図２に本考案の実施例２の三つ折り袱紗１００ｂを開いた状態の正面図を示す。
三つ折り袱紗１００ｂは、一折目１１１と，二折目１１２と金封Ａ又は数珠を入れる袋を形成する三折目１１３，１１４とからなり、金封Ａを入れる袋の三折目１１４の裏側にポケット２０１を設け、このポケット２０１内に芳香剤２０３を入れた小袋２０２を装填してある。
【実施例３】
【００２０】図３に本考案の実施例３の風呂敷タイプの袱紗１００ｃを開いた状態の正面図を示す。
風呂敷タイプの袱紗１２０ｃは、爪１２１付で、  金封Ａ又は数珠を包む裏地にポケット２０１を設け、このポケット２０１内に芳香剤２０３を入れた小袋２０２を装填してある。【００２１】  本考案の上記各実施例において、芳香剤２０３とは、バラの油か精油をベースにしたキンモクセイ、沈丁花、クチナシ、各種の薔薇、オシロイバナ等の季節を彩る、いいかおりのする花の香りを付けた芳香剤、消臭剤、滅菌剤等を言う。
本考案において前記小袋２０２とは、収容した芳香剤２０３が外部に放出可能にした通気性のある不繊布、繊布、メッシュ布、その他紙製等の適宜な材質のものであればよい、
本考案において、前記ポケット２０１は、その配置位置については裏側の任意の位置に目立たないように配置すればよく更に、形状は限定することは必要ないが、前記小袋２０２を挿入出口から出し入れ可能に収容できる大きさと形状であればよく、挿出入口を単に開口したタイプ、或いは挿出入口に面ファスナー、スライドファスナー、チャックファスナー、ボタンファスナー、ホックファスナーなどの公知の開閉具を設けたものでよい。また前記ポケット２０１は、袱紗の裏地の材質と色と同色同質のものが目立ないので、好ましいがこれに限ることはない。
【産業上の利用可能性】
【００２２】本考案は、前記のような優れた作用効果を呈するものであり、慶弔袱紗の製造メーカ及び利用者に貢献すること多大なものがある。
【符号の説明】
【００３３】１００ａ：二つ折り袱紗
１００ｂ：三つ折り袱紗
１０１：一折目
１０２，１０３：二折目
１１１：一折目
１１２：二折目
１１３，１１４：三折目
１２０ｃ：呂敷タイプの袱紗
１２１：爪
２０１：ポケット
２０２：小袋
２０３：芳香剤
【図１】
0003190496.tif 000004
【図２】
0003190496.tif 000005
【図３】
0003190496.tif 000006
【図４】
0003190496.tif 000007
【図５】
0003190496.tif 000008